(57)【要約】      （修正有）【課題】ＰＴＰ包装された錠剤を取り出す機能と、取り出し後、手に触れずに服薬できる服薬補助機能を高い次元で両立させたコンパクトな錠剤取り出し器を提供する。【解決手段】錠剤取り出し器は、ホルダー１に差し込まれた回転式ソケット１０を回転させることにより、ホルダーに配された錠剤取り出し貫通穴フリーとソケットに設けられた回転式ソケット錠剤貫通穴ロング用または、レギュラー用を合致させ、錠剤を取り出し、取り出し後における保管時は、ソケットを回転させ密閉状態で容器の大きさを最小限にとどめた上で、保管、または携帯する。【選択図】図７
2020049205.tif 000002
【特許請求の範囲】
【請求項１】
ＰＴＰ包装された錠剤をペン型ホルダー（１）のキャップ（２）に配されたクリップ（６）に錠剤取り出し機能を持たせ、クリップ先端の突起部（５）で錠剤を押し出し、キャップに設けられた錠剤貫通穴（３）からホルダー内に取り込むことが出来る極めてコンパクトな錠剤取り出し器である。
【請求項２】
錠剤取り出し後、キャップを開け、最後まで錠剤に触れずに服薬することが出来る服薬補助機能を兼ね備えた極めてコンパクトな錠剤取り出し器である。
【請求項３】
クリップ（６）の錠剤押し出し突起部に蓋（４）を配し、錠剤取り出し後、錠剤貫通穴（３）を塞ぎ、衛生的に保管や携帯もできる錠剤取り出し機能と服薬補助機能を兼ね備えた錠剤取り出し器である。
【請求項４】
本発明のペン型錠剤取り出し器は、キャップに設けられた錠剤貫通穴が、一般的な丸い錠剤対応であるため、カプセルや長い錠剤にも対応させるため、キャップとホルダーの重なり合う部分を長く配置し、キャップ側に錠剤貫通穴フリー（９）を、ホルダー側に貫通穴（７）（８）を儲け、ホルダーを回転させることにより、カプセル剤対応（ａ）、丸剤対応（ｂ）、貫通穴密閉（ｃ）の複数の機能を持たせたホルダー回転式錠剤取り出し器も加えてある。
【請求項５】
さらに、ホルダーとキャップを一体式にし、上端にヒンジ付キャップ（１１）を配した上で、ホルダー側にフリーサイズの貫通穴（７）を配備し、回転式ソケットを回転させることにより、カプセル剤対応（ｄ）、丸剤対応（ｅ）、貫通穴密閉（ｆ）の複数の機能を持たせたソケット回転式錠剤取り出し器を加えてある。
【請求項６】
さらに、ソケットのクリップ側に溝（１５）を設け、ソケットを上下にスライドさせることにより、カプセル剤対応（ｇ）、丸剤対応（ｈ）、貫通穴密閉（ｉ）の複数の機能を持たせたソケットスライド式錠剤取り出し器である。
【請求項７】
本発明の錠剤取り出し器は、円筒形容器の頂点に位置する部分に貫通穴（３）を設けてあるため、押し出し時にＰＴＰシートの台座部分が押し出す方向と逆方向に若干反り返るようになっており、この現象は、機器を使わず素手で錠剤を取り出した場合と同様ＰＴＰシートのアルミ箔ラミネートが、剥がれやすくなる仕組みになっている。
【発明の詳細な説明】
【技術分野】
【０００１】  本発明はＰＴＰ包装された錠剤の取り出し機能と、錠剤取り出し後、そのまま手に触れずに服薬できる服薬補助機能を併せ持つ医薬関連商品である。
【背景技術】
【０００２】  従来、ＰＴＰ包装から錠剤を取り出す場合、指先で押し出しているが、取り出す際に指先に触れて不衛生である。又、指先の鈍麻、痺れ、肥大、変形、疼痛、などの障害がある場合、指で押し出す作業が困難である。従って、家庭などでは小型の錠剤取り出し器を使ってきた。【０００３】  既存の錠剤取り出し器にあっては、文具のステープラ構造のように、ＰＴＰシートを挟みこんで、押し出す仕組みのものが多い（特許文献１）（非特許文献１）。【０００４】  これらの方法においては、錠剤を容器に押し出した後、服薬する段階で指先にて把持したり、手のひらに乗せるため不衛生であり、とくに外出先など不衛生な場所では感染症感染のリスクを伴う。【０００５】  中には、錠剤を取り出した後、容器から直接服薬できるシステムのものもある。【０００６】（特許文献２）は、取り出し機能において、半円筒形容器のヒンジ付蓋開閉を利用して、蓋部分で錠剤をＰＴＰシートから押し出す構造であるが、ＰＴＰシートをはさみこむ段階で、ヒンジとシートが干渉する現象を防ぐため、ＰＴＰシートの台座部分における最小部分がヒンジ部にくるよう考慮しながらセットしなくてはならない。【０００７】  また、カプセル剤など大きめの錠剤に対応させるため、円筒形容器の側面方向が長くなり、コンパクト性に欠け、蓋の密閉状態が確保されていないなどの不備が目立つ。【０００８】  さらに、錠剤押し出し部分が、蓋の面を利用しているため、錠剤を押し出す際の加重は、通常の指腹で押し出す加重と変わらず、錠剤取り出し専用器（特許文献１）（非特許文献１）のごとく錠剤押し出し部分に突起部を設けたものより強い加重をかけなくてはならない。【０００９】  （特許文献３）は、平らな台形容器の錠剤取り出し器で、服薬補助機能を兼ね備えたものであるが、取り出し機能においては、指腹で直接押し出さなければならず、上記（特許文献１）と同様、加重が軽減されず、そのため容器をテーブルなどに置く必要性がある。【００１０】  また、（特許文献２）においては、錠剤を取り出した後、服薬しようとするとき、錠剤取り出し口が、容器の上方向に開いているため、口元で容器をひっくり返し傾けたり、左右に振りながら錠剤を取り出し口に集める必要性があり、その段階で口元から錠剤が落下するリスクを伴う欠点がある。
【先行技術文献】
【特許文献】
【００１１】
【特許文献１】実登３２０３６９０号広報
【特許文献２】特開２０１１−１２５３９２号広報
【特許文献３】実登３１９５８８６号広報
【非特許文献】
【００１２】
【非特許文献１】福祉用具総合カタログＡＩＩ  ＬＩＦＥ  ＶＯＬ−３０  Ｐ４１
【発明の概要】
【発明が解決しようとする課題】
【００１３】  従来家庭用錠剤取り出し器にあっては、高齢者や障害者を対象とした日常生活介助用品として扱われており、取り出し機能については、一定の効果を認めるものが多い。しかし、ほとんどの製品が、服薬の際、錠剤を手のひらに出したり、別の容器に移し替えたりすることを前提としている。【００１４】  一部、錠剤取り出し機能と服薬補助機能を兼ね備えたものもあるが（特許文献２）、錠剤取り出し機能を、上部先端に設けた蓋を利用しているために、ＰＴＰシートを挟む時、開閉のためのヒンジ部が干渉しやすくなる為、シートの向きを調節しなくてはならない。【００１５】  また、蓋の裏全体で錠剤を押し出す構造であるため、錠剤取り出しに用いる荷重が軽減されにくい。【００１６】  さらに、錠剤の大きさに対応させるため、錠剤取り出し穴を縦長に配するため、蓋や容器のコンパクト性や保管時の密閉性を損なうため、携帯性に欠ける【００１７】  （特許文献３）においても、取り出し時に直接、指腹で押し出したり、服薬時に、容器を裏返して、口元に運び、さらに容器を振りながら錠剤を口腔内に落とし込む必要があるなど、不備が目立つ。【００１８】  上記のように、錠剤取り出しと服薬補助を兼ね備えた報告もあるが、錠剤取り出し機能が不完全であったり、服薬時に落下のリスクがあったり、携帯性に欠けるなどの課題が多く、普及していない。【００１９】  以上のように、ＰＴＰシートから錠剤を取り出した後、手に触れずに確実に服薬できる製品は見当たらず、したがって、服薬時に錠剤を手のひらに載せたりつまんだりするという、長年にわたる矛盾した慣習をかえるための製品は見当たらない。【００２０】  また、数ある錠剤取り出し装置においては、ＰＴＰシートを平らな面にセットし、上方から押しだす仕組みになっているが、取り出し装置を使用せず、素手で押し出す際には、ＰＴＰシートの透明カプセル上部を押しながら、ラミネート台座を逆方向に若干反り返らせる事により、錠剤を取り出しやすくしているため、この作用を応用していない。
【課題を解決するための手段】
【００２１】  本発明は、キャップ式ペン型ホルダーのクリップ先端の突起部で錠剤をホルダー内に落とし込んだあと、キャップをはずし、そのまま口元に持っていき、手に触れずに服薬を可能にする物である。【００２２】  円筒形容器にすることで、容器自体を最小体積にしコンパクト性を確保してある。【００２３】  ペン型容器に配したクリップの開閉動作を応用し、錠剤取り出し装置を設けることにより、クリップ先端の錠剤押し出し突起部分と、クリップの付け根の距離を確保し、ＰＴＰシートをどの方向からも挟み易くしてある。【００２４】  錠剤取り出し後、容器の密閉性を確保するため、クリップ突起部上に蓋を配してある。【００２５】  錠剤の大きさによって、貫通穴の大きさを変え、押し出し効果を高めるため、キャップとホルダーの重なり合う部分を大きく配備し、キャップ側に錠剤貫通穴フリー（９）を、ホルダー側に貫通穴（７）（８）を儲け、ホルダーを回転させることにより、カプセル剤対応（ａ）、丸剤対応（ｂ）、貫通穴密閉（ｃ）の複数の機能を持たせたホルダー回転式も加えてある。【００２６】  さらに、ホルダーとキャップを一体式にし、上端にヒンジ付キャップ（１１）を配した上で、ホルダー側にフリーサイズの貫通穴（７）を配備し、回転式ソケットを回転させることにより、カプセル剤対応（ｄ）、丸剤対応（ｅ）、貫通穴密閉（ｆ）の複数の機能を持たせたソケット回転式を加えてある。【００２７】  さらに、ソケットのクリップ側に溝（１５）を設け、ソケットを上下にスライドさせることにより、カプセル剤対応（ｇ）、丸剤対応（ｈ）、貫通穴密閉（ｉ）の複数の機能を持たせたソケットスライド式を加えてある。【００２８】  円筒形容器の頂点に位置する部分に貫通穴（３）を設けてあるため、押し出し時にＰＴＰシートの台座部分が押し出す方向と逆方向に若干反り返るようになっており、この現象は、機器を使わず素手で錠剤を取り出した場合と同様ＰＴＰシートのアルミ箔ラミネートが、剥がれやすくなる仕組みになっている。
【発明の効果】
【００２９】  本発明は、従来の錠剤取り出し器をペン型にし、取り出した錠剤をそのまま口に運ぶことが出来るため、最後まで錠剤に触れることなく服薬できる。さらに携帯性を高くすることにより、特に外出先での服薬に効果が大きい。【００３０】  クリップに取り出し機能を持たせる事により、錠剤取り出し専用器同様の取り出し効果を発揮できる【００３１】  容器をペン型円筒形にすることにより、錠剤が入る容積を最小限にとどめコンパクト性を損ねず、服薬時に錠剤が流れ落ちやすくなるため、服薬補助機能の効果が大きく、外出先やトイレの中、災害現場、避難所など不衛生な場面でも使いやすい。【００３２】  また、錠剤の大きさに対応できるよう、ホルダー回転式、ソケット回転式、ソケットスライド式などの対応もできる。
【図面の簡単な説明】
【００３３】
【図１】  本発明におけるキャップ式のペン型錠剤取り出し器を示す全体構成図である。
【図２】  ＰＴＰシートをクリップに挟み、親指で錠剤を押し出す場面を現した拡大図である。
【図３】  図１、図５に示すごとくキャップ式ペン型錠剤取り出し器において、キャップをはずして、服薬する場面を表した図である。
【図４】  図７、図９に示すソケット回転式、ソケットスライド式における、ヒンジ付キャップを開けて服薬する場面を表した図である。
【図５】  図１に示す、キャップ取り外し式のキャップとホルダーの重なり合う部分を長くし、ホルダーを回転させ、錠剤の大きさに対応できるようにすることと、貫通穴を塞ぐ、蓋の役目を果たすホルダー回転式全体構成図である。
【図６】  図５に示すホルダー回転式における展開図で、（ａ）はカプセルまたは直方体錠剤用、（ｂ）は丸剤用、（ｃ）は密閉状態の３つの方法を表す図である。
【図７】  基本構造である図１、図５に示すキャップ取り外し式を一体式にし、上部先端に、ヒンジ付キャップを配し、ソケットに設けた錠剤貫通穴の調節により錠剤の大きさに対応させる、ソケット回転式全体構成図である。
【図８】  図７に示すソケット回転式の展開図で、（ｄ）はカプセルや直方体錠剤用、（ｅ）は丸剤用、（ｆ）は密閉状態の３つの方法を表す図である。
【図９】  図７に示すソケットをスライド式にし、錠剤の大きさに、より細かく対応できるソケットスライド式の構成図である。
【図１０】  図９に示すソケットスライド式の展開図で、（ｇ）はカプセルや直方体錠剤（ｈ）は丸剤用、（ｉ）は密閉状態の３つの方法を表す図であり、ソケットは錠剤の大きさに合わせて無段階に調節できることを示す展開図である。
【図１１】  錠剤取り出し時における、ＰＴＰシートから錠剤を取り出す際の、概略側面図で、ホルダー１に開けられた錠剤貫通穴３とＰＴＰシートの台座の間にできた隙間（ｊ）を表す図である。
【図１２】  図１１のごとく、ＰＴＰシートをセットした後、親指にて押し出した際、ＰＴＰシート台座が、隙間（ｊ）のあることによって反り返りかえった状態を示すものと、アルミ箔ラミネートフィルムが剥がれた状態（ｋ）を示す概略側面図である。
【発明を実施するための形態】
【００３４】  使用者は、図１に示すキャップ式ペン型錠剤取り出し器において、クリップ（６）の先端に配した蓋つき突起部（５）にＰＴＰ錠剤シートを挟みこむ。
【００３５】  この際、クリップ（６）の付け根と錠剤を押すクリップ突起部（５）の間に数センチの間隔ができるため、（特許文献２）の錠剤押し出し機構における、ヒンジ付蓋のヒンジが邪魔をして、ＰＴＰシートのセットがしづらい状況を解決し、請求項１の錠剤取り出し機能を充分確保しながら、コンパクト性を確保している。
【００３６】  次に、図２のごとくクリップを押して錠剤をホルダー１内に押し込み、その後キャップをはずし図３のごとく服薬する。このことにより、請求項２に記載の直接錠剤に触れず服薬でき、服薬補助効果を発揮するものである。
【００３７】  また、押し出し部分に蓋を配することにより、請求項３に記載の取り出し後の保管や持ち運び時の密閉性を確保する物である。
【００３８】  図５のホルダー回転式においては、錠剤の大きさにより、ホルダー側に配された錠剤貫通穴ロング用（７）、または錠剤貫通穴レギュラー用（８）とキャップ側のクリップ押し出し位置に配する錠剤貫通穴（９）を合致させるべく、図６に示す（ａ）または（ｂ）のごとくホルダーを回転させ、請求項４記載の錠剤の大ききに対応させるものである。
【００３９】  その後、図１に示すキャップ式錠剤取り出し器と同様の方法で、錠剤を押し出しキャップを開けて服薬し、服薬が終わって保管、または携帯する場合においては図６に示す（ｃ）の状態で容器全体を密閉する。
【００４０】  図７におけるソケット回転式においては、ホルダー（１）に差し込まれた回転式ソケット（１０）を回転させることにより、ホルダー（１）に配された錠剤取り出し貫通穴フリー（１４）とソケットに設けられた回転式ソケット錠剤貫通穴ロング用（１２）または、レギュラー用（１３）を合致させ、錠剤を取り出し、取り出し後における保管時は、ソケットを回転させ図８に示す密閉状態（ｆ）にし、請求項５に示した錠剤の大きさなどに対応できる機能を持たせた。
【００４１】  図９におけるソケットスライド式においては、ホルダー（１）に差し込まれたスライド式ソケット（１５）をスライドさせることにより、ホルダー（１）に配された錠剤取り出し貫通穴フリー（１４）とソケットに設けられたスライド式ソケット錠剤貫通溝（１６）を合致させる。
【００４２】  この時、図１０に示す、カプセル剤対応状態（ｇ）から丸剤対応（ｈ）まで任意の位置でソケットをスライドさせることができるため、錠剤の大きさに応じて細かく対応できるもので、本発明の錠剤取り出し機能をより高めた請求項６の方式である。
【００４３】  本発明のペン型錠剤取り出し器においては、各錠剤取り出し貫通穴を円筒形キャップまたはホルダーの円筒頂点に配しているため、ＰＴＰシートをセットする場合、図１１に示すごとく、ＰＴＰシートと各錠剤貫通穴の間に隙間（ｊ）が発生する。この隙間（ｊ）が、親指でＰＴＰシートを押し出す際に図１２に示すようにＰＴＰシートを反り返らすことになる。
【００４４】  この反り返り現象は、機器を使わず素手で錠剤を取り出した場合と同様ＰＴＰシートのアルミ箔ラミネートが、剥がれやすくなる仕組みになっており、従来の錠剤取り出し器に比し、請求項７に示すごとく、錠剤を取り出しやすい仕組みになっている。
【産業上の利用可能性】
【００４５】  ＰＴＰ包装は１９６０年代から開発されており、従来、保存や管理、衛生面などの点から製薬会社や医療現場など、提供者側の利益を中心に発展してきた。また利用者側にとっても現在の錠剤を手に取って服薬するという利用方法が定着している。しかし、近年感染症予防はマスクより手洗いが重要であることが科学的にも判明する中、現状の服薬常識では、治療のための服薬が、違う病気に感染することにつながっている。
そこで、本提案においては、商品の普及だけではなく、既存の服薬方法そのものを変革して医薬品産業全体の常識を変えていくものである。
【符号の説明】
【００４６】  １  ホルダー（透明ＰＶＣ）
２  キャップ（透明ＰＶＣ）
３  錠剤貫通穴
４  貫通穴蓋（透明ＰＶＣ）
５  クリップ突起部（押し出し部表面ローレット加工）
６  クリップ本体
７  ホルダー錠剤貫通穴ロング用
８  ホルダー錠剤貫通穴レギュラー用
９  キャップ錠剤貫通穴フリー
１０  回転式ソケット（透明ＰＶＣ）
１１  ヒンジ付キャップ（透明ＰＶＣ）
１２  回転式ソケット錠剤貫通穴ロング用
１３  回転式ソケット錠剤貫通穴レギュラー用
１４  一体式錠剤貫通穴フリー
１５  スライド式ソケット（透明ＰＶＣ）
１６  スライド式ソケット錠剤貫通溝
【図１】
2020049205.tif 000003
【図２】
2020049205.tif 000004
【図３】
2020049205.tif 000005
【図４】
2020049205.tif 000006
【図５】
2020049205.tif 000007
【図６】
2020049205.tif 000008
【図７】
2020049205.tif 000009
【図８】
2020049205.tif 000010
【図９】
2020049205.tif 000011
【図１０】
2020049205.tif 000012
【図１１】
2020049205.tif 000013
【図１２】
2020049205.tif 000014